(57)【要約】【課題】  交通機関の運行状況に変化が生じたときに、利用者が運行情報にアクセスしなくても運行情報を入手することができる運行情報通知装置を提供する。【解決手段】  利用者は、運行情報の提供を希望する利用者のデータ（携帯電話端末情報、運行情報の通知を希望する交通機関の出発地、到着地、出発時刻、到着時刻、通知時刻等）を運行情報通知装置に登録する（ステップＳ２０１）。交通機関の運行状況に変化が生じると（ステップＳ２０２／ＹＥＳ）、利用者データ管理部１１は利用者登録リスト１１ａから交通機関の運行状況の変化を通知する必要がある利用者を検索する（ステップＳ２０３）。運行状況の変化を通知する必要がある利用者が検索された場合は（ステップＳ２０３／ＹＥＳ）、その利用者にのみ運行情報が通知される（ステップＳ２０４）。【選択図】  図１
2005221340.tif 000002
【特許請求の範囲】
【請求項１】
交通機関の運行情報を提供する運行情報通知装置において、
所定のネットワークに接続する手段と、
前記ネットワークを通じて前記運行情報を取得する手段と、
前記ネットワークを通じて取得した前記交通機関の前記運行情報を管理する運行情報管理手段と、
前記交通機関の運行状況が変化した場合、前記運行情報を利用者に通知する運行情報通知手段と、
前記運行情報の通知を希望する前記利用者の利用者情報を管理する利用者情報管理サーバとを有することを特徴とする運行情報通知装置。
【請求項２】
前記運行情報は、前記運行状況が変化した交通機関の運行時間、出発地、到着地、出発時間、及び到着時間の少なくともいずれか一つを有することを特徴とする請求項１記載の運行情報通知装置。
【請求項３】
前記利用者情報は、
前記利用者が前記運行情報を受信する携帯電話端末を特定する情報と、
前記利用者が前記運行情報の通知を希望する交通機関の出発地、到着地、出発時間、及び到着時間とからなり、
前記交通機関の運行状況が変化したとき、前記運行情報通知手段は、前記運行情報の通知を希望する交通機関の出発地、到着地、出発時間、及び到着時間のいずれかが変更された利用者にのみ、前記運行情報を前記携帯電話端末に送信することを特徴とする請求項１又は２記載の運行情報通知装置。
【請求項４】
前記利用者情報は、
前記利用者が前記運行情報を受信する前記携帯電話端末を特定する情報と、
前記利用者が前記運行情報の通知を希望する交通機関の出発地、到着地、出発時間、及び到着時間と、
前記利用者が前記運行情報を受信できる通知時間とからなり、
前記通知時間になったとき、前記運行情報通知手段は、前記運行状況の変化により前記運行情報の通知を希望する交通機関の出発地、到着地、出発時間、及び到着時間のいずれかが変更された利用者にのみ、前記運行情報を前記携帯電話端末に送信することを特徴とする請求項１又は２記載の運行情報通知装置。
【請求項５】
前記携帯電話端末を特定する情報は、ｅ−ｍａｉｌアドレスであることを特徴とする請求項３又は４記載の運行情報通知装置。
【請求項６】
前記携帯電話端末を特定する情報は、前記携帯電話端末の携帯電話番号であることを特徴とする請求項３又は４記載の運行情報通知装置。
【発明の詳細な説明】
【技術分野】
【０００１】
本発明は、列車や船舶、航空機等の各種交通機関を利用して目的地に移動する際の経路や時刻などを管理する運行情報通知装置に関し、特に、交通機関の運行状況変化が生じた場合に、この運行情報を交通機関から取得し、利用者に提供する運行情報通知装置に関する。
【背景技術】
【０００２】
列車、船、飛行機等の各種交通機関を利用して、ある目的地へ移動する場合、利用者は、市販されている時刻表や、交通機関が発行している時刻表等と参照して、その経路や所要時間を調べるのが一般的である。
【０００３】
また、季節的な要因や事故等により交通機関の運行が時刻表より遅れることを考慮し、利用者は、新聞、テレビ、ラジオ等のニュース、又は運行会社の表示板やホームページに掲載された情報により交通機関の運行情報を取得する。
【０００４】
または、携帯電話又はインターネットのウェブ閲覧端末が普及しているため、上述のような限定された情報伝達手段ではなく、携帯電話又はインターネットのウェブ閲覧端末のような利用者が利用しやすい情報伝達手段で交通機関等の遅れ時間を取得することができる。
【０００５】
特許文献１は、運行状況の変化が発生した交通機関の運行状況発信サーバから運行状況の変化を交通情報管理サーバが取得して、経路探索用の基礎データを更新し、運行状況を反映した適切な経路検索が行える交通情報提供システムを提案している。
【０００６】
特許文献２は、交通機関に生じた遅れや不能という情報を、ユーザが指定する方法で、即座に通知することを可能にする交通機関遅れ情報提供方法を提案している。
【０００７】
特許文献３は、出発地点の変更等の利用者側の変更や、事故等の交通機関側での状況の変化などがあった場合であっても、利用者に現状の最適な交通機関案内情報を適切なタイミングで通知することができる交通機関案内装置と方法を提案している。
【０００８】
特許文献４は、乗客等の利用者の立場に立った交通機関の事故等の情報を時々刻々と変化する態様で提供でき、且つ該交通機関の事故等の情報を携帯電話やインターネット等を利用して簡易に取得できる運行情報提供装置を提案している。
【特許文献１】特開２００２−１６３３４９号公報
【特許文献２】特開２００１−２８３３７１号公報
【特許文献３】特開２００２−４６６１３号公報
【特許文献４】特開２００２−２４３４２号公報
【発明の開示】
【発明が解決しようとする課題】
【０００９】
しかしながら、上述の提案には以下に述べる問題点がある。
【００１０】
運行会社のホームページにアクセスして公開されている情報、テレビ、ラジオ等により情報を入手する方法は、利用者側から交通機関の運行情報にアクセスしなければ、交通機関の運行情報等を入手することができない。また、利用者は、必要な路線や便のみの情報を選択して入手することが困難である。
【００１１】
特許文献１は、交通機関に運行状況の変化が生じたとき、現状に対応した最適な経路を取得するために、交通情報提供システムを利用するクライアントは、自ら交通情報管理サーバの経路探索用のデータベースにアクセスしなければならない。
【００１２】
特許文献２は、ユーザが登録した路線情報のみから該路線の遅れ情報を検索し、該当する路線に遅れが生じると、常に遅れ情報を送信するという構成をとっているため、ユーザは路線を利用する時間帯以外の遅れ情報も受信することとなる。
【００１３】
特許文献３は、ユーザによって入力・送信された利用者情報に基づき、利用者が目的地に至るまでの経路情報及びダイヤグラム情報を検索し、その検索結果からユーザに交通経路を提供する構成をとっており、ユーザは情報提供を希望する路線の事故、災害等の運行情報を得ることはできない。
【００１４】
特許文献４は、ユーザによって通報された遅れ時間や運行会社からの通報された遅れ時間に基づいて、利用者が情報の提供を希望する路線の遅れ時間を提供するものであるが、利用者は自ら交通機関の運行情報にアクセスしなければならない。
【００１５】
本発明は、利用者が携帯電話端末情報、利用路線、便名等を交通機関の運行情報を管理する運行情報通知装置に登録しておくことにより、登録した路線等に事故や災害が発生したときに、運行情報通知装置から利用者に対し、路線の遅れ時間、運休、事故情報、運行再開情報等の情報を提供することを目的としている。
【課題を解決するための手段】
【００１６】
請求項１記載の発明は、交通機関の運行情報を提供する運行情報通知装置において、所定のネットワークに接続する手段と、前記ネットワークを通じて前記運行情報を取得する手段と、前記ネットワークを通じて取得した前記交通機関の前記運行情報を管理する運行情報管理手段と、前記交通機関の運行状況が変化した場合、前記運行情報を利用者に通知する運行情報通知手段と、前記運行情報の通知を希望する前記利用者の利用者情報を管理する利用者情報管理サーバとを有することを特徴とする。
【００１７】
請求項２記載の発明は、請求項１記載の運行情報通知装置において、前記運行情報は、前記運行状況が変化した交通機関の運行時間、出発地、到着地、出発時間、及び到着時間の少なくともいずれか一つを有することを特徴とする。
【００１８】
請求項３記載の発明は、請求項１又は２記載の運行情報通知装置において、前記利用者情報は、前記利用者が前記運行情報を受信する携帯電話端末を特定する情報と、前記利用者が前記運行情報の通知を希望する交通機関の出発地、到着地、出発時間、及び到着時間とからなり、前記交通機関の運行状況が変化したとき、前記運行情報通知手段は、前記運行情報の通知を希望する交通機関の出発地、到着地、出発時間、及び到着時間のいずれかが変更された利用者にのみ、前記運行情報を前記携帯電話端末に送信することを特徴とする。
【００１９】
請求項４記載の発明は、請求項１又は２記載の運行情報通知装置において、前記利用者情報は、前記利用者が前記運行情報を受信する前記携帯電話端末を特定する情報と、前記利用者が前記運行情報の通知を希望する交通機関の出発地、到着地、出発時間、及び到着時間と、前記利用者が前記運行情報を受信できる通知時間とからなり、前記通知時間になったとき、前記運行情報通知手段は、前記運行状況の変化により前記運行情報の通知を希望する交通機関の出発地、到着地、出発時間、及び到着時間のいずれかが変更された利用者にのみ、前記運行情報を前記携帯電話端末に送信することを特徴とする。
【００２０】
請求項５記載の発明は、請求項３又は４記載の運行情報通知装置において、前記携帯電話端末を特定する情報は、ｅ−ｍａｉｌアドレスであることを特徴とする。
【００２１】
請求項６記載の発明は、請求項３又は４記載の運行情報通知装置において、前記携帯電話端末を特定する情報は、前記携帯電話端末の携帯電話番号であることを特徴とする。
【発明の効果】
【００２２】
本発明は、利用者が携帯電話端末情報、運行情報の通知を希望する交通機関の出発地、到着地、出発時刻、到着時刻、通知時刻等を運行情報通知装置に予め登録しておくことにより、登録した交通機関に事故や災害が発生したときに、利用者は自ら運行情報にアクセスしなくても運行情報の通知を受けることができる。
【発明を実施するための最良の形態】
【００２３】
本発明は、利用者が携帯電話端末情報、運行情報の通知を希望する交通機関の出発地、到着地、出発時刻、到着時刻、通知時刻等を運行情報通知装置に予め登録しておくことにより、交通機関の運行状況に変化が生じたときに、利用者は自ら運行情報にアクセスしなくても運行情報の通知を受けることができる。また、利用者は運行情報の通知をうける時間を運行情報通知装置に登録しておくことで、希望する時間に運行情報の通知を受けることができる。
【実施例】
【００２４】
図１は、本発明を適用した運行情報通知装置の構成を示すブロック図である。運行情報通知装置は、利用者登録データ管理部１０、及び運行情報管理サーバ２０から構成される。利用者登録データ管理部１０は、利用者情報管理サーバ１１と運行情報通知サーバ１２から構成されている。
【００２５】
利用者情報管理サーバ１１は、利用者からの携帯電話端末情報（携帯電話番号、ｅ−ｍａｉｌ等）、交通機関の出発地、到着地、出発時刻、到着時刻、通知時刻等の情報を受け付け、利用者登録リスト１１ａに登録する。運行情報通知サーバ１２は、運行状況が変化した場合、利用者情報管理サーバ１１にアクセスし、その運行状況の提供を希望する利用者リストを取得し、利用者に運行状況を通知する。なお、利用者登録リスト１１ａは、利用者のデータ（携帯電話端末情報、運行情報の通知を希望する交通機関の出発地、到着地、出発時刻、到着時刻、通知時刻等）を記憶する。
【００２６】
運行情報管理サーバ２０は、各交通機関から受信した運行情報をもとに交通機関運行状況リスト２０ａを作成し、運行状況が変化したときに運行情報通知サーバ１２に運行情報を通知する。運行状況リスト２０ａは、交通機関から取得した交通機関の運行時間、出発地、到着地、出発時間、到着時間等を記憶する。
【００２７】
次に、本発明を適用した運行情報通知装置によって利用者に運行情報を通知する動作について説明する。図２は、運行情報通知装置が利用者からのデータ（携帯電話端末情報、運行情報の通知を希望する交通機関の出発地、到着地、出発時刻、到着時刻等）の登録を受けた後、交通機関の運行状況が変化したときに、運行情報を利用者に通知する処理のフローチャートである。
【００２８】
まず、利用者は、運行情報通知装置に対しデータ（携帯電話端末情報、運行情報の通知を希望する交通機関の出発地、到着地、出発時刻、到着時刻等）の登録を要求する（ステップＳ２００）。利用者情報管理サーバ１１は、利用者登録リスト１１ａにデータを登録する（ステップＳ２０１）。そして、交通機関の運行状況に変化が発生しているか否か確認する（ステップＳ２０２）。運行状況に変化が発生していない場合は（ステップＳ２０２／ＮＯ）、運行情報通知サーバ１２から利用者への運行状況の通知は行われず処理は終了する。運行状況に変化が生じている場合は（ステップＳ２０２／ＹＥＳ）、運行情報通知サーバ１２から利用者情報管理サーバ１１に運行情報を通知する必要がある利用者の検索に関する問い合わせが行われる。利用者情報管理サーバ１１は、利用者登録リスト１１ａに登録された利用者の中から運行状況の変化により利用者が登録した交通機関の運行時間、出発地、到着地、出発時間、到着時間等のいずれかが変更された利用者を検索する（ステップＳ２０３）。
【００２９】
利用者登録リスト１１ａに登録された利用者の中から運行状況の変化により利用者が登録した交通機関の運行時間、出発地、到着地、出発時間、到着時間等のいずれかが変更された利用者が発見された場合（ステップＳ２０３／ＹＥＳ）、利用者情報管理サーバ１１は各利用者の携帯電話端末情報を運行情報通知サーバ１２に転送する。運行情報通知サーバ１２は、利用者情報管理サーバ１１から受信した携帯端末情報をもとに利用者に対して運行状況の変化を通知する（ステップＳ２０４）。一方、利用者登録リスト１１ａに登録された利用者の中から運行状況の変化により利用者が登録した交通機関の運行時間、出発地、到着地、出発時間、到着時間等のいずれかが変更された利用者が発見されなかった場合（ステップＳ２０３／ＮＯ）、運行情報通知サーバ１２から利用者に対する運行情報の通知は実行されず処理は終了する。
【００３０】
図２のステップＳ２０２において実行される具体的な動作を図５に示す。運行情報管理サーバ２０は、運行情報通知サーバ１２から交通機関の運行状況に変化が生じているかの問い合わせを受けると、運行状況リスト２０ａから運行状況が変化した交通機関の運行時間、出発地、到着地、出発時間、到着時間等の情報を検索する（ステップＳ５０１）。運行状況が変化した交通機関の運行時間、出発地、到着地、出発時間、到着時間等の情報が運行状況リスト２０ａに記録されていたときは（ステップＳ５０２／ＹＥＳ）、運行状況が変化した交通機関の運行時間、出発地、到着地、出発時間、到着時間等の情報を運行情報通知サーバ１２に転送する（ステップＳ５０３）。一方、運行状況が変化した交通機関の運行時間、出発地、到着地、出発時間、到着時間等の情報が運行状況リスト２０ａに記録されていなかったときは（ステップＳ５０２／ＮＯ）、運行情報を通知する必要がないことが運行情報通知サーバ１２に通知される（ステップＳ５０４）。
【００３１】
図２のステップＳ２０３において実行される具体的な動作を図３に示す。運行情報通知サーバ１２から利用者情報管理サーバ１１に運行情報を通知する必要がある利用者の検索に関する問い合わせあると（ステップＳ３００）、利用者登録リスト１１ａに登録された利用者の中から運行状況の変化により各利用者が登録した交通機関の運行時間、出発地、到着地、出発時間、到着時間等のいずれかが変更された利用者が検索される（ステップＳ３０１）。
【００３２】
利用者登録リスト１１ａに登録された利用者の中から運行状況の変化により各利用者が登録した交通機関の運行時間、出発地、到着地、出発時間、到着時間等のいずれかが変更された利用者が発見された場合は（ステップＳ３０２／ＹＥＳ）、利用者情報管理サーバ１１は利用者の携帯電話端末情報を運行情報通知サーバ１２に転送する（ステップＳ３０３）。一方、利用者登録リスト１１ａに登録された利用者の中から運行状況の変化により各利用者が登録した交通機関の運行時間、出発地、到着地、出発時間、到着時間等のいずれかが変更された利用者が発見されなかった場合は（ステップＳ３０２／ＮＯ）、運行状況の変化を通知する必要がないことが運行情報通知サーバ１２へ通知される（ステップＳ３０４）。
【００３３】
本発明を適用した運行情報通知装置は、交通機関の運行状況が変化すると、利用者に交通機関の運行情報を通知する。よって、利用者は自ら運行情報にアクセスしなくても交通機関の遅れ、運休等の運行情報を入手することができる。
【００３４】
また、利用者は携帯電話端末情報の他に運行情報の通知が必要な交通機関の出発地、到着地、出発時間、到着時間等の情報も登録しておくことができるため、必要な交通機関の運行情報のみを入手することができる。さらに、利用者が通知を希望しない運行情報は、利用者へ通知されないため、運行情報を転送するネットワークへの負担を軽減することができる。
【００３５】
次に、利用者が運行情報の通知を希望する通知時刻を運行情報通知装置に登録した場合の処理について図４を用いて説明する。
【００３６】
まず、利用者は、運行情報通知装置に対し携帯電話端末情報、利用する交通機関の出発地、到着地、出発時間、到着時間等の他に通知時刻の登録を携帯電話端末などから要求する（ステップＳ４００）。利用者情報管理サーバ１１は、利用者登録リスト１１ａにデータを登録する（ステップＳ４０１）。次に、利用者情報管理サーバ１１は利用者登録リスト１１ａに登録された通知時刻になったか否かを判断する（ステップＳ４０２）。利用者が運行情報の通知を希望する時刻でないときは（ステップＳ４０２／ＮＯ）、通知は行われず処理は終了する。一方、利用者が運行情報の通知を希望する時刻であるときは（ステップＳ４０２／ＹＥＳ）、運行情報通知サーバ１２は運行情報管理サーバ２０に交通機関及び路線の運行状況に変化が発生していないかを確認する（ステップＳ４０３）。運行状況に変化が発生していない場合は（ステップＳ４０３／ＮＯ）、運行情報通知サーバ１２から利用者への運行状況の通知は行われず処理は終了する。運行状況に変化が生じている場合は（ステップＳ４０３／ＹＥＳ）、運行情報通知サーバ１２から利用者情報管理サーバ１１に運行情報を通知する必要がある利用者の検索に関する問い合わせが行われる。
【００３７】
問い合わせを受けた利用者情報管理サーバ１１は、利用者登録リスト１１ａに登録された利用者の中から運行状況の変化により各利用者が登録した交通機関の運行時間、出発地、到着地、出発時間、到着時間等のいずれかが変更された利用者を検索する（ステップＳ４０４）。
【００３８】
利用者登録リスト１１ａに登録された利用者の中から運行状況の変化により利用者が登録した交通機関の運行時間、出発地、到着地、出発時間、到着時間等のいずれかが変更された利用者が発見された場合（ステップＳ４０４／ＹＥＳ）、利用者情報管理サーバ１１は利用者の携帯電話端末情報を運行情報通知サーバ１２に転送する。運行情報通知サーバ１２は、利用者情報管理サーバ１１から受信した携帯端末情報をもとに利用者に対して運行状況の変化を通知する（ステップＳ４０５）。一方、利用者登録リスト１１ａに登録された利用者の中から運行状況の変化により利用者が登録した交通機関の出発地、到着地、出発時間、到着時間等のいずれかが変更された利用者が発見されなかった場合（ステップＳ４０４／ＮＯ）、運行情報通知サーバ１２から利用者に対する運行情報の通知は実行されず処理は終了する。
【００３９】
なお、利用者情報管理サーバ１１が運行情報を通知する必要がある利用者のデータを検索する具体的な処理については、図３に示すフローチャートと同様の処理が行われる。
【００４０】
図５に運行状況管理サーバ２０が行う運行状況に変化が生じているか否かを判断する具体的な動作のフローチャートを示す。運行情報管理サーバ２０は、運行情報通知サーバ１２から交通機関の運行状況に変化が生じているかの問い合わせを受けると、運行状況リスト２０ａから運行状況が変化した交通機関の運行時間、出発地、到着地、出発時間、到着時間等の情報を検索する（ステップＳ５０１）。運行状況が変化した交通機関の運行時間、出発地、到着地、出発時間、到着時間等の情報が運行状況リスト２０ａに記録されていたときは（ステップＳ５０２／ＹＥＳ）、運行状況が変化した交通機関の運行時間、出発地、到着地、出発時間、到着時間等の情報を運行情報通知サーバ１２に転送する（ステップＳ５０３）。一方、運行状況が変化した交通機関の運行時間、出発地、到着地、出発時間、到着時間等の情報が運行状況リスト２０ａに記録されていなかったときは（ステップＳ５０２／ＮＯ）、運行情報を通知する必要がないことが運行情報通知サーバ１２に通知される（ステップＳ５０４）。
【００４１】
図４及び図５に示す処理によって利用者へ運行状況の変化の通知が実行されることで、利用者は自分が希望する時刻に運行状況の変化の通知を受けることができる。また、利用者は、自分が必要とする交通機関の運行状況の変化のみを入手することができる。
【図面の簡単な説明】
【００４２】
【図１】本発明を適用した運行情報通知装置の構成を示すブロック図である。
【図２】本発明を適用した運行情報通知装置から利用者に運行情報を通知する処理のシーケンスである。
【図３】本発明を適用した運行情報通知装置が運行情報を通知する必要がある利用者を検索する処理のフローチャートである。
【図４】本発明を適用した運行情報通知装置が運行情報を通知時刻に利用者に通知する処理のシーケンスである。
【図５】本発明を適用した運行情報通知装置が運行情報を利用者に通知する必要がある運行情報を検索する処理のフローチャートである。
【符号の説明】
【００４３】
１０    利用者登録データ管理部
１１    利用者情報管理サーバ
１１ａ    利用者登録リスト
１２    運行情報通知サーバ
２０    運行情報管理サーバ
２０ａ    運行状況リスト
【図１】
2005221340.tif 000003
【図２】
2005221340.tif 000004
【図３】
2005221340.tif 000005
【図４】
2005221340.tif 000006
【図５】
2005221340.tif 000007